(57)【要約】【課題】簡単な構成により表示画面内にメニュー表示された多数の代表画像（或いは、小画面）を選択および決定する操作が容易な電子情報表示システムを実現する。【解決手段】複数の代表画像を縦横に整列した所定の配置を以って表示画面内にメニュー表示し、これらの代表画像に対応して縦横に各所定数の代表画像を含む大きさのフォーカスを設定し、リモートコントローラの操作により動きの縦横の各成分について代表画像の倍数に相応する移動量を単位としてこのフォーカスを移動させる。所望の位置に達したフォーカスに包含される代表画像のうちリモートコントローラに備えたフォーカス内の代表画像と相似の配列の複数の決定操作ボタン（３０９〜３１２）のうちの一のもので代表画像を決定操作する。【選択図】図５
2007281659.tif 000002
【特許請求の範囲】
【請求項１】
夫々対応する情報を代表する複数の代表画像を縦横に整列した所定の配置を以って表示画面内にメニュー表示するメニュー表示手段と、前記メニュー表示手段によって所定の配置を以って表示された代表画像に対応して縦横に各所定数の代表画像を含む大きさのフォーカスを設定するフォーカス設定手段と、前記フォーカス設定手段により設定されたフォーカスを外部操作に応答して動きの縦横の各成分について代表画像の倍数に相応する移動量を単位として移動させるフォーカス移動手段と、前記フォーカス移動手段によって所望の位置に達したフォーカスに包含される代表画像のうち決定操作された代表画像を認識する決定操作認識手段とを備えた電子情報表示装置と、
前記電子情報表示装置の表示画面内のフォーカスを移動操作するためのフォーカス移動制御手段と、前記一つのフォーカス内に包含される代表画像の配置と相似の配置をもって縦横に配設された複数の操作子を有し該複数の操作子のうちの一のものに対する操作によって対応する代表画像について決定操作を行うための決定制御手段とを備えたリモートコントローラと、
を含んで構成されていることを特徴とする電子情報表示システム。
【請求項２】
夫々対応する情報を代表する複数の代表画像を縦横に整列した所定の配置を以って表示画面内にメニュー表示するメニュー表示手段と、前記メニュー表示手段によって所定の配置を以って表示された代表画像に対して縦横に各所定数の代表画像を含む大きさのフォーカスを対応するリモートコントローラの複数の決定操作用操作子と相似の配置をもって設定するフォーカス設定手段と、前記フォーカス設定手段により設定されたフォーカスを前記リモートコントローラからの操作に応答して動きの縦横の各成分について代表画像の倍数に相応する移動量を単位として移動させるフォーカス移動手段と、前記フォーカス移動手段によって所望の位置に達したフォーカスに包含される代表画像のうち前記リモートコントローラの決定操作用操作子のうちの対応するものによって決定操作された代表画像を認識する決定操作認識手段とを備えたことを特徴とする電子情報表示装置。
【請求項３】
前記フォーカス設定手段は、対応するリモートコントローラの複数の決定操作用操作子と相似の配置として、縦横に各２つの代表画像を整列してなる領域を包含するようにフォーカスを設定するべく構成されていることを特徴とする請求項２に記載の電子情報表示装置。
【請求項４】
前記フォーカス移動手段は、対応するリモートコントローラのポインティングデバイスによる操作に応じて移動するように構成されていることを特徴とする請求項２に記載の電子情報表示装置。
【請求項５】
対応する電子情報表示装置の表示画面内に複数の代表画像を包含するように設定される一つのフォーカスに対して動きの縦横の各成分について代表画像の倍数に相応する移動量を単位として移動操作するためのフォーカス移動制御手段と、前記一つのフォーカス内に包含される代表画像の配置と相似の配置をもって縦横に配設された複数の操作子を有し該複数の操作子のうちの一のものに対する操作によって対応する代表画像について決定操作を行うための決定制御手段とを備えたことを特徴とするリモートコントローラ。
【請求項６】
前記フォーカス移動制御手段は、ポインティングデバイスによる操作に応じて当該フォーカスを移動させるように構成されていることを特徴とする請求項５に記載のリモートコントローラ。
【請求項７】
前記決定制御手段は、前記一つのフォーカス内に包含される代表画像の配置と相似に縦横に配設された複数の操作子として縦横に各２つ整列した代表画像の配列と相似の配列をもって配設された操作子を備えていることを特徴とする請求項５に記載のリモートコントローラ。
【発明の詳細な説明】
【技術分野】
【０００１】
本発明は、夫々対応する情報を代表する複数の代表画像を縦横に整列した所定の配置を以って表示画面内にメニュー表示する電子情報表示装置に対しリモートコントローラからの操作によって特定の代表画像を選択し決定操作する電子情報表示システムおよび電子情報表示装置ならびにリモートコントローラに関する。
尚、本願明細書において「代表画像」とは、それによって、特定の機能やデバイスを代表するものであるアイコンと同義の意に限定されるものではなく、所謂親画面を分割してなる複数の分割小画面である所謂子画面のように、各個において映像の表示を行うものであって、例えば、それに対する選択決定操作が行われたときには、親画面の大きさに拡大表示されるような、タイリングによる各画面である場合を包摂する。
【背景技術】
【０００２】
近年、例えばデジタルテレビジョン受像機のような電子情報表示装置においては、リモートコントローラによって、極めて多種多様な操作が行えるようになっており、且つ、夫々対応する情報を代表する複数のアイコンを縦横に整列したメニュー画面に対するアイコンの選択および決定操作によって種々の情報や機能のうちから特定のものを選択し実行させるようにするといった操作方法が多用されるようになりつつなる。
このように、画面内のアイコンや複数の小画面から特定のものを選択するような操作方法については、従来より種々の方法が提案されている。
【０００３】
例えば、ユーザーがリモートコントローラのメニューボタンスイッチを操作して複数のメニューアイコンを画面に表示させ、更に、操作子を上下左右方向に操作して、ハイライト状態で表されるカーソルを所望のボタンアイコンに合わせた後、エンター操作をすると、ＣＰＵがエンター操作に対応した放送チャンネルを受信させるべくチューナを制御して該当するチャンネルを受信し、その受信信号に復調処理その他所定の処理を施してモニタ装置に出力し表示するようにして画像受信するといった提案がある（特許文献１参照）。
【０００４】
また、４種類の矢印キーを用いて複数のアイテムから所望のものを選択する場合、矢印キーを多数回押さなくてはならず、アイテムの数が増加するほどこの傾向が顕著であることを問題にして、この解決を図ろうとする提案もある。この提案では、リモートコントローラからの操作に応じて画面に、格子（相互に直交した網状の平行線）の画面を重ね合わせ、格子により区分された各矩形領域に番号を付し、テンキー操作に対応する矩形領域を特定し、特定された矩形領域内に存在するアイテムを検索する。矩形領域内に存在するアイテムの数が２つ以上の場合、矩形領域内の最も左上隅に位置するアイテムにカーソルをフォーカスさせ、決定ボタンでアイテムの選択を決定する。選択しようとするアイテムが多数である場合には、従来に比して僅かなボタン操作によりアイテムを選択することができると説明されている（特許文献２参照）。
【０００５】
更にまた、マウスにおける決定ボタンを４個にしてポインティング装置として動作させ、４つのカーソルを扱うようにし、特に、各カーソルは表示画面内を常に４等分した領域内で動くようにしておき、各カーソルの移動領域に対応したレイアウトで上記の決定ボタンを配置することにより、所望するカーソルの位置に対応する決定ボタンをクリックしてカーソルが指している位置を選択するといった提案もある（特許文献３参照）。
【０００６】
また、Ｗｅｂ閲覧機能により表示される画面において、画面右下にリモートコントローラのキー配列を表示し、各キーに、それぞれ対応する機能名称を付し、ユーザーは画面右下のキーレイアウトを見ながら手元のリモートコントローラを指で操作して、画面上のアドレス入力欄にアドレスを入力したり、Ｗｅｂ画面に表示されている所望のＷｅｂページをスクロールしたりジャンプしたりしてＷｅｂページの閲覧を行えるようにし、この場合リモートコントローラに対して行った操作を画面で随時確認することができるように色を変更して表示するという提案がある（特許文献４参照）。
【０００７】
更に、明確な番組指定の選局ではなく、現在放送中の番組を適当に切り替えながら面白そうな番組を選択する、いわゆるザッピング視聴を行なう場合、リモートコントローラでの操作回数が増えることによる操作性の低下は、ユーザがアナログテレビ時代から慣れ親しんだ、少ない操作での快適な番組選択を妨げるものであり、デジタル放送による多チャンネル時代になっても、少ない操作での快適な番組選択を実現するための更なる改善と工夫が望まれるので、タイリング分割された表示画面上において、ザッピング視聴やお好み番組を選択する際に、リモートコントローラでの操作回数を少なくできるようにしようとする提案がある。
【０００８】
この提案は、４×５の２０の小画面に区分したタイリング分割画面の夫々に対してユーザーの所望に応じて優先度のマーク付けをし、"好きマーク"は最高優先度、"嫌いマーク"は最低優先度、"好きマーク"や"嫌いマーク"が複数ある場合はエージェントによるお好みで選択した番組を優先、といったようなルールでカテゴリ毎に優先度を設定し、番組配列情報の再配置処理を行なって表示のアップデートを行なうと、フォーカス位置からリモートコントローラでの操作回数が少ない分割位置に、"好きマーク"を付加した番組を含み、優先度の高い番組を集結できるようにして、タイリング分割画面を用いたザッピング視聴時に、お好み度合いが高まった再配置されたお好み領域を中心に、リモートコントローラでの少ないアクションで番組選択を行なうことを可能にしようというものである（特許文献５参照）。
【特許文献１】特開平８−１４０００３号公報（段落００６８〜段落００７８、図１３）
【特許文献２】特開２００１−１４２５９８号公報（段落０００２〜段落０００４、段落００２０〜段落００３１、図６）
【特許文献３】特開平５−１１３８５１号公報（段落００２５〜段落００２８、図４）
【特許文献４】特開２００３−２０９７１０号公報（段落００４４〜段落００４８、図３）
【特許文献５】特開２００５−１６７７１２号公報（段落００１１〜段落００１２、段落００７３〜段落００７７、図１０）
【発明の開示】
【発明が解決しようとする課題】
【０００９】
しかしながら、多種多様な情報や機能に夫々対応して多数のアイコン（或いは小画面）が画面に整列して表示される中から特定のアイコンへとフォーカス（或いはカーソル）を移動させ、次いで決定操作を実行するといった操作を十分に簡素化しようとするには、上掲の何れの提案も多少の課題を残している。
特許文献１所載の提案では、４方向（上下左右）、または８方向のポインティングデバイスによる移動手段でメニューアイコン間を一つ一つ移動するが、メニューアイコン数が比較的少ない場合はカーソル移動のストレスは少ないが、極めて多くのメニューアイコンから一のものを選択する場合には、メニューアイコン間を一つ一つカーソル移動させるためのリモートコントローラの操作回数が増大して、画面とリモコン間の視線往復が頻繁になり操作の煩雑さが目立ってくる。
【００１０】
また、その他の提案においても、リモートコントローラでの操作の煩雑さを解消するといった視点では必ずしも十分であるとは言い切れない。
例えば、特許文献２所載の提案では、格子により区分された矩形領域が多くなるほどテンキー操作によって矩形領域を特定すること自体が煩雑になり、その上で、特定された矩形領域中のアイテムを選択するが、矩形領域内の最も左上隅に位置するアイテムに自動的にカーソルをフォーカスさせられてしまうと、必ずしもそれが所望のものでないときには更なる選択操作を余儀なくされるため、あらゆる場合にリモートコントローラでの操作回数を低減できるとうものではない。
【００１１】
また、特許文献３所載の提案では、常に４等分した領域を意識して、その中から現在時点で何れかの領域に特に注目し、更に、その領域内で決定ボタンをクリックしてカーソルが指している位置を選択するものでるため、マウスにおける決定ボタンを押すまでのカーソルの移動量こそ低減されることはあっても、その扱いは敢えて注意を分散して画面表示の意味するところを的確に認識していなくてはならず、決して容易いものではない。
【００１２】
他方、特許文献４の提案では、画面上にリモートコントローラの操作に関する機能部の表示がなされるが、各操作キーに附された対応する機能を判読したり、色の変化から操作履歴を確認したりすることは相応の習熟を要するものであり、また特許文献５の提案のように"好きマーク"や"嫌いマーク"等優先度のマーク付けをしたり、その意味合いに関するルールの認識が必要とされるといった方法も、取り扱いの簡易さからは未だ隔たりがあると言わざるを得ない。
【００１３】
本発明は、上述したような従来技術において残置されていた課題に着目してなされたものであり、多数の操作ステップを経て漸く目的通りの代表画像或いは小画面の選択および決定操作を実行することができるようになるといった操作上の煩わしさを解消して、簡単な構成により表示画面内にメニュー表示された代表画像（或いは、小画面）を選択および決定する操作が容易な電子情報表示システムおよび電子情報表示装置ならびにリモートコントローラを具現することを目的とする。
【課題を解決するための手段】
【００１４】
上記課題を解決するべく、本願では次に列記するような技術を提案する。
（１）夫々対応する情報を代表する複数の代表画像を縦横に整列した所定の配置を以って表示画面内にメニュー表示するメニュー表示手段と、前記メニュー表示手段によって所定の配置を以って表示された代表画像に対応して縦横に各所定数の代表画像を含む大きさのフォーカスを設定するフォーカス設定手段と、前記フォーカス設定手段により設定されたフォーカスを外部操作に応答して動きの縦横の各成分について代表画像の倍数に相応する移動量を単位として移動させるフォーカス移動手段と、前記フォーカス移動手段によって所望の位置に達したフォーカスに包含される代表画像のうち決定操作された代表画像を認識する決定操作認識手段とを備えた電子情報表示装置と、
前記電子情報表示装置の表示画面内のフォーカスを移動操作するためのフォーカス移動制御手段と、前記一つのフォーカス内に包含される代表画像の配置と相似の配置をもって縦横に配設された複数の操作子を有し該複数の操作子のうちの一のものに対する操作によって対応する代表画像について決定操作を行うための決定制御手段とを備えたリモートコントローラと、
を含んで構成されていることを特徴とする電子情報表示システム。
【００１５】
上記（１）の電子情報表示システムでは、電子情報表示装置において、メニュー表示手段によって、夫々対応する情報を代表する複数の代表画像を縦横に整列した所定の配置を以って表示画面内にメニュー表示し、該メニュー表示された代表画像に対応して縦横に各所定数の代表画像を含む大きさのフォーカスを、フォーカス設定手段によって設定する。
該設定されたフォーカスを、リモートコントローラからの外部操作に応答して動きの縦横の各成分について代表画像の倍数に相応する移動量を単位として、フォーカス移動手段によって移動させる。このように移動させて所望の位置に達したフォーカスに包含される代表画像のうち前記リモートコントローラからの操作によって決定操作された代表画像を、決定操作認識手段で認識する。この認識に応じて所定の動作が起動される等する。
【００１６】
リモートコントローラにおいて、電子情報表示装置の表示画面内のフォーカスを、フォーカス移動制御手段によって移動操作し、一つのフォーカス内に包含される代表画像の配置と相似の配置をもって縦横に配設された複数の操作子を有する決定制御手段における該複数の操作子のうちの一のものに対する操作によって、対応する代表画像について決定操作を行う。
【００１７】
（２）夫々対応する情報を代表する複数の代表画像を縦横に整列した所定の配置を以って表示画面内にメニュー表示するメニュー表示手段と、前記メニュー表示手段によって所定の配置を以って表示された代表画像に対して縦横に各所定数の代表画像を含む大きさのフォーカスを対応するリモートコントローラの複数の決定操作用操作子と相似の配置をもって設定するフォーカス設定手段と、前記フォーカス設定手段により設定されたフォーカスを前記リモートコントローラからの操作に応答して動きの縦横の各成分について代表画像の倍数に相応する移動量を単位として移動させるフォーカス移動手段と、前記フォーカス移動手段によって所望の位置に達したフォーカスに包含される代表画像のうち前記リモートコントローラの決定操作用操作子のうちの対応するものによって決定操作された代表画像を認識する決定操作認識手段とを備えたことを特徴とする電子情報表示装置。
【００１８】
上記（２）の電子情報表示装置では、メニュー表示手段によって、夫々対応する情報を代表する複数の代表画像を縦横に整列した所定の配置を以って表示画面内にメニュー表示し、該メニュー表示された代表画像に対応して縦横に各所定数の代表画像を含む大きさのフォーカスをフォーカス設定手段によって設定する。
該設定されたフォーカスを、リモートコントローラからの外部操作に応答して動きの縦横の各成分について代表画像の倍数に相応する移動量を単位として、フォーカス移動手段によって移動させる。このように移動させて所望の位置に達したフォーカスに包含される代表画像のうち前記リモートコントローラからの操作によって決定操作された代表画像を、決定操作認識手段で認識する。この認識に応じて所定の動作が起動される等する。
【００１９】
（３）前記フォーカス設定手段は、対応するリモートコントローラの複数の決定操作用操作子と相似の配置として、縦横に各２つの代表画像を整列してなる領域を包含するようにフォーカスを設定するべく構成されていることを特徴とする（２）の電子情報表示装置。
上記（３）の電子情報表示装置では、（２）の電子情報表示装置において特に、フォーカス設定手段は、対応するリモートコントローラの複数の決定操作用操作子と相似の配置として、縦横に各２つの代表画像を整列してなる領域を包含するようにフォーカスを設定するべく構成されている。
【００２０】
（４）前記フォーカス移動手段は、対応するリモートコントローラのポインティングデバイスによる操作に応じて移動するように構成されていることを特徴とする（２）の電子情報表示装置。
上記（４）の電子情報表示装置では、（２）の電子情報表示装置において特に、フォーカス移動手段は、対応するリモートコントローラの例えば複数方向への移動キー等のポインティングデバイスによる操作に応じて移動するように構成されている。
【００２１】
（５）対応する電子情報表示装置の表示画面内に複数の代表画像を包含するように設定される一つのフォーカスに対して動きの縦横の各成分について代表画像の倍数に相応する移動量を単位として移動操作するための移動操作信号を形成するフォーカス移動制御手段と、前記一つのフォーカス内に包含される代表画像の配置と相似の配置をもって縦横に配設された複数の操作子を有し該複数の操作子のうちの一のものに対する操作によって対応する代表画像について決定操作を行うための決定制御手段とを備えたことを特徴とするリモートコントローラ。
【００２２】
上記（５）のリモートコントローラでは、フォーカス移動制御手段によって、対応する電子情報表示装置の表示画面内に複数の代表画像を包含するように設定される一つのフォーカスに対して動きの縦横の各成分について代表画像の倍数に相応する移動量を単位として移動操作し、一つのフォーカス内に包含される代表画像の配置と相似の配置をもって縦横に配設された複数の操作子を有する決定制御手段における該複数の操作子のうちの一のものに対する操作によって、対応する代表画像について決定操作を行う。
【００２３】
（６）前記フォーカス移動制御手段は、ポインティングデバイスによる操作に応じて当該フォーカスを移動させるように構成されていることを特徴とする（５）のリモートコントローラ。
上記（６）のリモートコントローラでは、（５）のリモートコントローラにおいて特に、フォーカス移動制御手段は、例えば複数方向への移動キー等を備えたポインティングデバイスによる操作に応じて当該フォーカスを移動させる。
【００２４】
（７）前記決定制御手段は、前記一つのフォーカス内に包含される代表画像の配置と相似に縦横に配設された複数の操作子として縦横に各２つ整列した代表画像の配列と相似の配列をもって配設された操作子を備えていることを特徴とする（５）のリモートコントローラ。
上記（７）のリモートコントローラでは、（５）のリモートコントローラにおいて特に、決定制御手段は、前記電子情報表示装置での表示における一つのフォーカス内に包含される代表画像の配置と相似に縦横に配設された複数の操作子として縦横に各２つ整列した代表画像の配列と相似の配列をもって配設された操作子を備えている。
【発明を実施するための最良の形態】
【００２５】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の一つの実施の形態としての電子情報表示システムを表す図である。
図１において、本発明の電子情報表示装置の一つの実施の形態としてのデジタルテレビジョン受像機１００とリモートコントローラ２００を含んで電子情報表示システム１０が構成されている。
【００２６】
周波数変換器を備えたアンテナ１１０で受信され周波数変換された放送波はチューナ部１２０に供給される。チューナ部１２０では、映像データと音声データとを含む高周波データ変調信号のうちから所望の特定周波数の信号を抽出し、復調処理、逆インターリーブ処理、誤り訂正処理等を行って上記抽出した信号を復調してトランスポートストリームを出力する。更に、チューナ部１２０は、誤り訂正処理の過程で得られる受信状態を表すエラーレートまたはＣ／Ｎ比のデータを生成する。
【００２７】
チューナ部１２０の出力であるトランスポートストリームはデスクランブル部１３０に供給される。デスクランブル部１３０は、適用されたＩＣカード１３１からＩＣカード読取り部１３２が読取った鍵情報を用いてトランスポートストリームのスクランブルを解除する。
デスクランブル部１３０は、更に、デマルチプレクス処理機能を備えており、デスクランブル処理されたトランスポートストリームを、ＭＰＥＧ２（Moving Picture Experts Group２）のビデオトランスポートパケット、オーディオトランスポートパケット、及びＰＳＩ／ＳＩ（Program Specific Information／Service Information）に分離する。
【００２８】
このように分離されたビデオトランスポートパケットとオーディオトランスポートパケットはＡＶデコーダ部１４０に供給される。
このデジタルテレビジョン受像機１００の系全体を統括的に制御するべく、マイクロプロセッサを主体に構成されたシステムコントローラ１５０が設けられ、このシステムコントローラ１５０に、既述の受信状態を表すエラーレートまたはＣ／Ｎ比のデータ、および、ＰＳＩ／ＳＩのデータも入力される。
【００２９】
システムコントローラ１５０は、後述するように、その各該当する自己の機能部および関連する他の機能部との共働によって本発明の枢要な構成要件としての各手段を構成するようになされている。
トランスポートストリームには複数のチャンネルが多重化されており、これらのうちから所望のチャンネルを選択することは、既述のＰＳＩ／ＳＩから当該所望のチャンネルがトランスポートストリーム中でどのパケットＩＤで多重化されているかといったデータを判読することによって達成される。
【００３０】
ＡＶデコーダ部１４０は、ビデオトランスポートパケットに対してデコードを行うビデオデコーダ、および、オーディオトランスポートパケットに対してデコードを行うオーディオデコーダを備えている。ビデオデコーダは、入力された可変長符号を復号して量子化係数や動きベクトルを求め、逆ＤＣＴ変換や動きベクトルに基づく動き補償制御などを行う。また、オーディオデコーダは、入力された符号化信号を復号して音声データを生成する。
【００３１】
ＡＶデコーダ部１４０の上述のビデオデコーダの出力は、加算器１４１を介して映像処理部１４２に供給され、一方、上述のオーディオデコーダの出力は、音声処理部１４３に供給される。
映像処理部１４２は、ＡＶデコーダ部１４０から映像データを受け取ってＤ／Ａ変換を行い、例えばコンポジット映像信号に変換する。一方、音声処理部１４３は、ＡＶデコーダ部１４０から音声データを受け取ってＤ／Ａ変換を行い、例えば右（Ｒ）音のアナログ信号および左（Ｌ）音のアナログ信号を生成する。
【００３２】
映像処理部１４２の出力は映像出力部１４４を介して表示器１６０に供給されて映像が画面に表示され、音声処理部１４３の出力は音声出力部１４５を介してスピーカ１６１に供給されて音声が出力される。
システムコントローラ１５０の制御下で作動するＯＳＤ部１５１が設けられ、システムコントローラ１５０から出力指示された代表画像、メニュー、文字、および表示色等を表す映像パターンデータを生成して加算器１４１に出力する。
【００３３】
加算器１４１は映像パターンデータをＡＶデコーダ１４０から出力される受信映像データに組み込む処理を行う。
リモートコントローラ２００からの赤外光による操作指令信号（リモートコントロール信号）を受信するためのリモートコントロール信号受信部１５２が設けられ、その出力がリモートコントロール信号デコード部１５３でデコード処理されてシステムコントローラ１５０に供給されるように構成されている。
【００３４】
システムコントローラ１５０と種々のデータの授受を行い得るようにメモリ１５５が設けられ、更に、このデジタルテレビジョン受像機１００に対してリモートコントローラ２００を介さずに直接操作を行うための操作ボタンやその他の操作子を備えた操作部１５６がシステムコントローラ１５０に接続されている。
この実施の形態の電子情報表示システム１０では、デジタルテレビジョン受像機１００は、その表示器１６０に夫々対応する情報を代表する複数の代表画像を縦横に整列した所定の配置を以って表示画面内にメニュー表示する。このメニュー表示は、システムコントローラ１５０からのメニュー表示指令に基づいてＯＳＤ部１５１で生成される映像パターンデータをＡＶデコーダ１４０から出力される受信映像データに組み込んで映像処理部１４２に供給し、更に、映像出力部１４４を介して表示器１６０に供給することにより行なわれる。
【００３５】
また、所定の配置を以って表示された代表画像に対応して縦横に各所定数の代表画像を含む大きさのフォーカスを設定する動作も、システムコントローラ１５０からの指令に基づいて上述のメニュー表示の場合と同様に実行される。
フォーカスを移動させて表示された複数の代表画像のうち特定のものを決定するリモートコントローラ２００からの赤外光による操作指令信号（リモートコントロール信号）はリモートコントロール信号受信部１５２で受信され、リモートコントロール信号デコード部１５３でデコード処理されてシステムコントローラ１５０に供給され、この供給を受けたシステムコントローラ１５０は、フォーカスの移動を実行し、決定の対象とされた代表画像を認識する。そして当該認識された代表画像に対応する所定の動作を行うべく該当各部を制御する。
【００３６】
上述の説明から理解されるとおり、夫々対応する情報を代表する複数の代表画像を縦横に整列した所定の配置を以って表示画面内にメニュー表示するメニュー表示手段は、システムコントローラ１５０、ＯＳＤ部１５１、加算器１４１、映像処理部１４２、および、映像出力部１４４等の各該当する機能部によって具現されている。
また、メニュー表示手段によって所定の配置を以って表示された代表画像に対応して各所定数の代表画像を含む大きさのフォーカスを設定するフォーカス設定手段も、システムコントローラ１５０、ＯＳＤ部１５１、加算器１４１、映像処理部１４２、および、映像出力部１４４等の各該当する機能部によって具現されている。
【００３７】
更に、フォーカス設定手段により設定されたフォーカスを外部操作に応答して動きの縦横の各成分について代表画像の倍数に相応する移動量を単位として移動させるフォーカス移動手段は、リモートコントロール信号受信部１５２、リモートコントロール信号デコード部１５３、システムコントローラ１５０、ＯＳＤ部１５１、加算器１４１、映像処理部１４２、および、映像出力部１４４等の各該当する機能部によって具現されている。
【００３８】
更にまた、フォーカス移動手段によって所望の位置に達したフォーカスに包含される代表画像のうち決定操作された代表画像を認識する決定操作認識手段は、リモートコントロール信号受信部１５２、リモートコントロール信号デコード部１５３、および、システムコントローラ１５０各該当する機能部によって具現されている。
一方、リモートコントローラ２００は、後に詳述するように、デジタルテレビジョン受像機１００側の表示器１６０の画面に表示される複数の代表画像を包含するように設定される一つのフォーカスに対してその動きの縦横の各成分について代表画像の倍数に相応する移動量を単位として移動操作するためのフォーカス移動制御手段と、一つのフォーカス内に包含される代表画像の配置と相似の配置をもって縦横に配設された複数の操作子を有し該複数の操作子のうちの一のものに対する操作によって対応する代表画像について決定操作を行うための決定制御手段とを備えている。
【００３９】
図２は、図１のシステムにおけるリモートコントローラ２００の内部構成を示すブロック図である。リモートコントローラ２００は、その筐体２０１内に設けられマイクロプロセッサを主体に構成されたシステムコントローラ２１０によってその枢要な機能が実現される。
後に各実施の形態について詳述する各操作ボタン（操作キー）やポインティングデバイスに対応する電子スイッチ部を含んで構成され、ユーザーによる操作を感知して筐体２０１内のシステムコントローラ２１０に伝達する操作部２２０がシステムコントローラ２１０と結ばれている。
【００４０】
操作部２２０からの操作入力を受付け、該受付けた操作に対応した赤外光による操作指令信号（リモートコントロール信号）をデジタルテレビジョン受像機１００側のリモートコントロール信号受信部１５２に投射するリモートコントロール信号投射部２３０もシステムコントローラ２１０からの指令に応答して動作する。
一方、メモリ２４０がシステムコントローラ２１０とデータの授受を行ない得るように接続されているが、このメモリ２４０にはユーザー設定情報などが格納されている。
【００４１】
システムコントローラ２１０は、その各該当する機能部および関連部位との共働によって、本発明の実施の形態としてのリモートコントローラ２００の枢要な構成要素をなすものであり、より具体的には次の通りである。
ユーザーの操作部２２０に対する操作に応じて、デジタルテレビジョン受像機１００側の上述の表示器１６０の画面に表示される複数の代表画像を包含するように設定される一つのフォーカスに対して動きの縦横の各成分について代表画像の倍数に相応する移動量を単位として移動操作するためのフォーカス移動制御手段はシステムコントローラ２１０と操作部２２０およびリモートコントロール信号投射部２３０の共働によってその機能が実現される。
【００４２】
また、一つのフォーカス内に包含される代表画像の配置と相似の配置をもって縦横に配設された複数の操作子を有し該複数の操作子のうちの一のものに対する操作によって対応する代表画像について決定操作を行うための決定制御手段はシステムコントローラ２１０と操作部２２０およびリモートコントロール信号投射部２３０の共働によってその機能が実現される。
【００４３】
操作部２２０とそれへの操作に応答してのリモートコントローラ２００の機能、リモートコントローラ２００からの操作指令信号に応答してのデジタルテレビジョン受像機１００側の表示器１６０における画面表示の遷移については、以下に図面を参照して、各実施の形態毎に、従来の場合と比較しつつ詳述する。
【００４４】
図３は本発明のリモートコントローラの一つの実施の形態を表す図である。図３では、特に、リモートコントローラ３００（図１において、デジタルテレビジョン受像機１００に適合するリモートコントローラに対し代表的に２００の参照符号を附したが、本明細書において発明の実施の形態として説明するリモートコントローラは、より一般的には、何れもこの２００に該当する）の操作部のうちフォーカスの移動、代表画像の決定、その他、本発明の説明に関連した主要な部分についてその外観を示し、他の部分については図示を省略してある。また、以下の説明において「ボタン」は操作キーと同義である。
【００４５】
図４は、図３のリモートコントローラによって操作されるデジタルテレビジョン受像機１００の画面におけるメニュー表示の遷移の様子を表す図である。
上述の図３および図４における本発明の実施の形態について、これに対応する従来の技術を表す図８および図９と対比しつつ次に説明する。
【００４６】
図８は、従来のリモートコントローラの一例を表す図である。図９は、図８のリモートコントローラによって操作されるデジタルテレビジョン受像機の画面におけるメニュー表示の遷移の様子を表す図である。
図８のリモートコントローラ８００の電源ボタン８０１の操作により対応するデジタルテレビジョン受像機の電源がオンされる。８０２は受信チャンネルを変更するためのチャンネル番号ボタン、８０３はデジタルテレビジョン受像機の表示部にメニューやコンテンツなどを表示させるためのメニューボタン、８０４はメニュー操作を終了するための終了ボタンである。
【００４７】
また、８０５，８０６，８０７，８０８は表示画面におけるフォーカスを上下左右に移動し選択させるための操作ボタン、８０９はフォーカスした代表画像を決定する決定ボタンである。
リモートコントローラ８００の電源ボタン８０１の操作により電源オン後、メニューボタン８０３の操作によりデジタルテレビジョン受像機の表示部には図９に示されたように、３列３行合計９つからなる代表画像を含むメニュー表示が映出される。
【００４８】
図９にプロセス９０１として示されたように、メニュー表示の初期表示状態においては”１”がフォーカスされている。この”１”から移動し”９”を選択決定するプロセスは９０１では右ボタン８０８→ 右ボタン８０８→下ボタン８０６→下ボタン８０６→決定ボタン８０９から成る５回のボタン操作が行われることを要する。
また、図９にプロセス９０２として示されたように、”９”がフォーカスされた状態で”５”を選択決定するプロセス９０２では、上ボタン８０５→左ボタン８０７→決定ボタン８０９から成る３回のボタン操作が行われることを要する。従って、上記２つのプロセスのボタン操作回数の合計は８回である。
【００４９】
次に、上記と同様に”９”および”５”の選択決定プロセスを図３および図４の本発明の実施の形態で実行する場合について説明する。
複数の代表画像をフォーカスするフォーカスブロックの構成は２列２行とする。図３のリモートコントローラ３００の電源ボタン３０１の操作によりデジタルテレビジョン受像機１００の電源がオンされる。
【００５０】
３０２は受信チャンネルを変更するためのチャンネル番号ボタン、３０３はデジタルテレビジョン受像機１００の表示器１６０にメニューやコンテンツなどを表示させるためのメニューボタン、３０４はメニュー操作終了するための終了ボタン。３０５，３０６，３０７，３０８は代表画像のブロックに対するフォーカスを上下左右に移動し選択させるための操作ボタン。３０９，３１０，３１１，３１２は２列２行で構成したフォーカスブロックの４つの代表画像相対する決定ボタン「決定１」〜「決定４」である。
【００５１】
これらの決定ボタン３０９，３１０，３１１，３１２は、一つのフォーカス内に包含される代表画像の配置と相似の配置をもって縦横に配設された複数の操作子であり、該複数の操作子のうちの一のものに対する操作によって対応する代表画像について決定操作を行うための決定制御手段の要素を構成するものである。
電源ボタン３０１の操作によりデジタルテレビジョン受像機１００の電源をオンにして後、メニューボタン３０３の操作によりデジタルテレビジョン受像機１００の表示器１６０には、図４にプロセス４０１として示されたように、３列３行合計９つからなる代表画像を含むメニュー表示が映出される。表示器１６０でのメニュー表示における初期表示状態においては代表画像の”１”,”２”,”４”,”５”を含む ブロックの位置にフォーカスが合わされている。
【００５２】
この状態から”９”を選択決定するプロセスは４０１の表示状態から右ボタン３０８の操作によりプロセス４０２のように”２”,”３”,”５”,”６”にフォーカスブロックが変わる。次に下ボタン３０６の操作によりプロセス４０３のように”５”,”６”,”８”,”９”にフォーカスブロックが変わり、フォーカスブロック内の代表画像 ”９”に対応する「決定４」ボタン３１２の操作により”９”が選択決定される。よってボタンの操作回数は３回である。
また、”５”,”６”,”８”,”９”にフォーカスブロック状態で”５”を選択決定するプロセスは４０４のようにフォーカスブロック内の代表画像 ”５”に対応する「決定１」ボタン３０９の操作のみで”５”が選択決定される。よってボタンの操作回数は１回である。
【００５３】
上記２つのプロセスのボタン操作回数は合計４回となり、図８および図９の従来例と比較して１／２の操作で実現できることになる。
以上より明らかな通り、図１を参照して説明したフォーカス設定手段により設定されたフォーカスはリモートコントローラからの外部操作に応答して動きの縦横の各成分について代表画像の倍数に相応する移動量を単位として移動する。
【００５４】
図５は本発明のリモートコントローラの他の実施の形態を表す図である。図５でも、特に、リモートコントローラ５００の操作部のうちフォーカスの移動、代表画像の決定、その他、本発明の説明に関連した主要な部分についてその外観を示し、他の部分については図示を省略してある。
図６は、図５のリモートコントローラによって操作されるデジタルテレビジョン受像機１００の画面におけるメニュー表示の遷移の様子を表す図である。
【００５５】
上述の図５および図６における本発明の他の実施の形態について、これに対応する従来の技術を表す図１０および図１１と対比しつつ次に説明する。
図１０は、従来のリモートコントローラの一例を表す図である。図１１は、図１０のリモートコントローラによって操作されるデジタルテレビジョン受像機の画面におけるメニュー表示の遷移の様子を表す図である。
図１０のリモートコントローラ１０００の電源ボタン１００１の操作によりデジタルテレビジョン受像機は電源がオンされる。
【００５６】
１００２は受信チャンネルを変更するためのチャンネル番号ボタン、１００３はデジタルテレビジョン受像機の表示部にメニューやコンテンツなどを表示させるためのメニューボタン、１００４はメニュー操作終了するための終了ボタン、１００９はフォーカスを上下左右８方向に移動させる機能および垂直方向に押し下げる事でフォーカスした代表画像を決定するボタン機能を併せ持つポインティングボタンである。
電源ボタン１００１の操作によりデジタルテレビジョン受像機の電源をオンにした後、メニューボタン１００３の操作により表示画面には、プロセス１１０１のように、３列３行合計９つからなる代表画像を含むメニュー表示が映出される。メニュー表示の初期表示状態においては”１”がフォーカスされている。
【００５７】
フォーカス位置が”１”から移動し”９”を選択決定するプロセスは、１１０１のようにポインティングボタン１００９を右斜め下→右斜め下 →決定（垂直方向への押し込み）と操作する。所要の操作回数は３回である。
また、”９”がフォーカスされた状態で”５”を選択決定するプロセスは、１１０２のようにポインティングボタン１００９を左斜め上→決定（垂直方向への押し込み）と操作する。所要の操作回数は２回である。従って、上記２つのプロセスでの所要のボタン操作回数は合計５回となる。
【００５８】
上記と同様に”９”および”５”の選択決定プロセスを図５、図６の本発明の他の実施の形態で実行する場合について説明する。
複数の代表画像をフォーカスするフォーカスブロックの構成は２列２行とする。図５のリモートコントローラ５００の電源ボタン５０１の操作によりデジタルテレビジョン受像機１００の電源がオンされる。
【００５９】
５０２は受信チャンネルを変更するためのチャンネル番号ボタン、５０３は表示部１０４にメニューやコンテンツなどを表示させるためのメニューボタン、５０４はメニュー操作終了するための終了ボタン、５０５はメニュー画面のフォーカスを上下左右８方向に移動させるポインティングボタンである。
５０６，５０７，５０８，５０９は２列２行で構成したフォーカスブロックの４つの代表画像に対応する決定ボタン「決定１」〜「決定４」である。
これらの決定ボタン５０６，５０７，５０８，５０９は、一つのフォーカス内に包含される代表画像の配置と相似の配置をもって縦横に配設された複数の操作子であり、該複数の操作子のうちの一のものに対する操作によって対応する代表画像について決定操作を行うための決定制御手段の要素を構成するものである。
【００６０】
電源ボタン５０１の操作によりデジタルテレビジョン受像機１００の電源をオンにした後、メニューボタン５０３の操作により、デジタルテレビジョン受像機１００の表示器１６０には図６の６０１のように、３列３行合計９つからなる代表画像を含むメニュー表示が映出される。メニュー表示の初期表示状態においては”１”，”２”，”４”，”５”がフォーカスブロックでフォーカスされている。
”９”を選択決定するプロセスは６０１の表示状態からポインティングボタン５０５を右斜め下の移動操作により６０２のように”５”，”６”，”８”，”９”にフォーカスブロックが変わり、フォーカスブロック内の代表画像 ”９”に対応する「決定４」ボタン５０９の操作により”９”が選択決定される。よってボタンの所要操作回数は２回である。
【００６１】
また、”５”，”６”，”８”，”９”のブロックにフォーカスしている状態で”５”を選択決定する。プロセスは６０３のようにフォーカスブロック内の代表画像 ”５”に相対する「決定１」ボタン５０６の操作のみで”５”が選択決定される。よってボタンの所要操作回数は１回である。従って、上記２つのプロセスの所要ボタン操作回数は合計３回となり、図１０および図１１の従来技術と比較して２操作少なく実現できる。
以上において、図１を参照して説明したフォーカス設定手段により設定されたフォーカスはリモートコントローラからの外部操作に応答して動きの縦横の各成分について代表画像の倍数に相応する移動量を単位として移動する。
ここで、４列４行に並んだ合計１６の代表画像を含むメニュー画面の操作を図１０および図１１の従来技術と図５および図６の本発明の他の実施の形態との比較において再度その操作と表示の遷移について説明する。
【００６２】
第１２図は第１０図に示すリモートコントローラを用いて操作したときのメニュー画面の遷移を表す図である。
電源ボタン１００１の操作によりデジタルテレビジョン受像機の電源をオンにした後、メニューボタン１００３の操作により表示画面には図１２の１２０１のように、４列４行合計１６の代表画像を含んだメニュー表示が映出される。メニュー画面の初期表示状態においては”１”がフォーカスされている。
”１”から移動し”１６”を選択決定するプロセスは１２０１のようにポインティングボタン１００９を右斜め下→ 右斜め下→右斜め下→決定（垂直方向への押し込み）と操作する。このときの所要操作回数は４回である。
【００６３】
また、”１６”がフォーカスされた状態で”９”を選択決定するプロセスは１２０２のようにポインティングボタン１００９を左→左 →左斜め上→決定（垂直方向への押し込み）と操作する。このときの所要操作回数は４回である。従って、上記２つのプロセスの所要ボタン操作回数は合計８回である。
上記と同様に”１６”および”９”の選択決定プロセスを第５図の本発明の実施の形態であるリモートコントローラを用いて行った場合のメニュー画像の遷移状況を図７を参照して説明する。複数の代表画像をフォーカスするフォーカスブロックの構成は２列２行とする。
【００６４】
移動は、１回の移動が完了したときには同じ代表画像を重複して包含しないように、即ち、現在時点で包含している４つの代表画像のブロックは、次の移動後には一つも代表画像を重複して含まれないように、フォーカスは隣接する４つのブロックを含む位置まで移動する。
電源ボタン５０１の操作によりデジタルテレビジョン受像機１００の電源をオンにした後、メニューボタン５０３の操作により、デジタルテレビジョン受像機１００の表示器１６０には図７の７０１のように、４列４行合計１６の代表画像を含むメニュー表示が映出される。
【００６５】
各４つの代表画像を含んで構成されるフォーカスブロックの移動単位は、夫々、「”１”，”２”，”４”，”６”」、「”３”，”４”，”７”，”８”」、「”９”，”１０”，”１３”，”１４”」、「”１１”，”１２”，”１５”，”１６”」で、メニュー画面の初期表示状態においては”１”，”２”，”４”，”６”がフォーカスブロックでフォーカスされている。
【００６６】
”１６”を選択決定するプロセスは７０１の表示状態からポインティングボタン５０５を右斜め下の操作により７０２のように”１１”，”１２”，”１５”，”１６”にフォーカスブロックが変わり、フォーカスブロック内の代表画像  ”１６”に対応する「決定４」ボタン５０９の操作のみで"９"が選択決定される。よってボタンの所要操作回数は２回である。
【００６７】
また、”１１”，”１２”，”１５”，”１６”にフォーカスブロック状態で”９”を選択決定するプロセスはポインティングボタン５０５を左の操作によりプロセス７０３のように”９”，”１０”，”１３”，”１４”にフォーカスブロックが変わり、フォーカスブロック内の代表画像  ”９”に相対する「決定１」ボタン５０６の操作により”９”が選択決定される。よってボタンの所要操作回数は２回である。
【００６８】
従って、上記２つのプロセスのボタン所要操作回数は合計４回となり、図１０および図１２の従来技術と比較して１／２の操作回数で済むことになる。本発明の技術は、このように代表画像のメニュー表示数が多くなると、より効果的である。
ここでも、図１を参照して説明したフォーカス設定手段により設定されたフォーカスはリモートコントローラからの外部操作に応答して動きの縦横の各成分について代表画像の倍数に相応する移動量を単位として移動する。
映像表示装置としてのデジタルテレビジョン受像機とこれに対応するリモートコントローラの例を挙げて説明を行なっているが、メニュー選択方式を持つ様々な機器にも利用可能である。
【００６９】
以上説明した本発明によれば、少ない操作回数で所望の代表画像を選択し決定操作することができるため、操作時間が短縮され、また、リモートコントローラのボタン配置と表示画面上の指定可能な代表画像が相似的な配置にあるので、直感的に、かつ視線移動が少ない操作が可能である。また、フォーカスの移動をブロック単位で行なうので、一つ一つ移動させるような細かい操作やストレスが軽減できる。
【図面の簡単な説明】
【００７０】
【図１】本発明の一つの実施の形態としての電子情報表示システムを表す図である。
【図２】図１のシステムにおけるリモートコントローラの内部構成を示すブロック図である。
【図３】本発明のリモートコントローラの一つの実施の形態を表す図である。
【図４】図３のリモートコントローラによって操作されるデジタルテレビジョン受像機の画面におけるメニュー表示の遷移の様子を表す図である。
【図５】本発明のリモートコントローラの他の実施の形態を表す図である。
【図６】図５のリモートコントローラによって操作されるデジタルテレビジョン受像機の画面におけるメニュー表示の遷移の様子を表す図である。
【図７】第５図のリモートコントローラを用いて操作を行った場合のメニュー画像の遷移状況を表す図である。
【図８】従来のリモートコントローラの一例を表す図である。
【図９】図８のリモートコントローラによって操作されるデジタルテレビジョン受像機の画面におけるメニュー表示の遷移の様子を表す図である。
【図１０】従来のリモートコントローラの一例を表す図である。
【図１１】図１０のリモートコントローラによって操作されるデジタルテレビジョン受像機の画面におけるメニュー表示の遷移の様子を表す図である。
【図１２】第１０図のリモートコントローラを用いて操作したときのメニュー画面の遷移の様子を表す図である。
【符号の説明】
【００７１】
１０…電子情報表示システム  １００…デジタルテレビジョン受像機（電子情報表示装置）  １４１…加算器  １４２…映像処理部  １４４…映像出力部  １５０…システムコントローラ  １５１…ＯＳＤ部  １５２…リモートコントロール信号受信部  １５３…リモートコントロール信号デコード部  ２００（３００，５００）…リモートコントローラ  ２１０…システムコントローラ  ２２０…操作部  ２３０…リモートコントロール信号投射部  ３０９，３１０，３１１，３１２；５０６，５０７，５０８，５０９…決定ボタン
【図１】
2007281659.tif 000003
【図２】
2007281659.tif 000004
【図３】
2007281659.tif 000005
【図４】
2007281659.tif 000006
【図５】
2007281659.tif 000007
【図６】
2007281659.tif 000008
【図７】
2007281659.tif 000009
【図８】
2007281659.tif 000010
【図９】
2007281659.tif 000011
【図１０】
2007281659.tif 000012
【図１１】
2007281659.tif 000013
【図１２】
2007281659.tif 000014